(57)【特許請求の範囲】
【請求項１】
チェーンと、該チェーンに沿って配置されたケーブル類と、前記チェーンと交差して前記チェーンに配置されたケーブル類を支持するサポートとを備えたケーブル類支持案内装置において、
前記サポートが、ゴムおよび熱可塑性エラストマーを含むエラストマーからなるとともに、前記チェーンに固定するチェーン連結固定部と該チェーン連結固定部に保持されてケーブル類を支持するケーブル類支持部とを有し、
前記ケーブル類支持部が、放射状のスリットによって形成された複数の舌部分を前記ケーブル類の長手方向に変形自在に撓むように構成してなるケーブル類貫通孔を備えていることを特徴とするケーブル類支持案内装置。
【発明の詳細な説明】
【０００１】
【発明の属する技術分野】
この発明は、ケーブル類支持案内装置にかかわり、さらに、詳しくは、ケーブルやホースなどのケーブル類をチェーンによって支持しているケーブル類支持案内装置に関している。
【０００２】
【従来の技術】
この種のケーブル類支持案内装置は、互いにピンによって連結された複数のリンクをもつチェーンと、リンクの連結方向に沿ってチェーンを貫通するケーブル類と、リンクの連結方向と交差してリンクの各々に配置されたケーブル類を支持するサポートとを備えている（例えば特許文献１を参照）。
このような従来のケーブル類支持案内装置の場合、ケーブル類を構成するケーブルやホースは、リンクの連結中心軸とケーブル類の中心軸とを一致させサポートに固定支持され、長手方向への摺動が最少になるようにしている。
そして、サポートは、ポリエチレン樹脂のような軟質プラスチックの成型物によって構成され、ケーブル類が長手方向に摺動しても、ケーブル類の損傷を最少にしている。
【０００３】
【特許文献１】
特開昭６２−８８８４６号公報
【０００４】
【発明が解決しようとする課題】
しかしながら、このような従来のケーブル類支持案内装置では、ケーブル類がサポートに支持されているため、曲線区間にてケーブル類に無理な力がかかり、ケーブル類を損傷させたり、断線事故を発生させるおそれがある。
したがって、チェーンに対してケーブル類を組み込むときに、曲率半径に応じて、サポート間のケーブル長を厳密に設定する必要があり、設置にかなりの手間を要している。
【０００５】
本発明の目的は、曲線区間においてケーブル類の長手方向に力がかかると曲がるのに必要なケーブル類の長さを確保してケーブル類に無理な力をかけず、ケーブル類の損傷や断線事故を防止することができ、しかもサポート間のケーブル長を厳密に設定しなくても、チェーンに対するケーブル類の組み付けも簡単にかつ迅速に行なうことができるケーブル類支持案内装置を提供することにある。
【０００６】
【課題を解決するための手段】
上記の目的を達成するために、本発明は、チェーンと、チェーンに沿って配置されたケーブル類と、チェーンと交差してチェーンに配置されたケーブル類を支持するサポートとを備えたケーブル類支持案内装置において、前記サポートがゴムおよび熱可塑性エラストマーを含むエラストマーからなるとともに、前記チェーンに固定するチェーン連結固定部と該チェーン連結固定部に保持されてケーブル類を支持するケーブル類支持部とを有し、前記ケーブル類支持部が放射状のスリットによって形成された複数の舌部分を前記ケーブル類の長手方向に変形自在に撓むように構成してなるケーブル類貫通孔を備えていることを特徴としている。
【０００７】
【作用】
本発明のケーブル類支持案内装置は、サポートがゴムおよび熱可塑性エラストマーを含むエラストマーからなるとともに、前記チェーンに固定するチェーン連結固定部と該チェーン連結固定部に保持されてケーブル類を支持するケーブル類支持部とを有し、前記ケーブル類支持部が放射状のスリットによって形成された複数の舌部分を前記ケーブル類の長手方向に変形自在に撓むように構成してなるケーブル類貫通孔を備えているため、曲線区間にて、ケーブル類の長手方向に力がかかると、サポートが力の作用方向に撓んで、曲がるのに必要なケーブル類の長さを確保し、ケーブル類に無理な力がかからず、しかも、サポート間のケーブル長を厳密に設定することなしにチェーンに対するケーブル類の組み込みを行なえる。
さらに、サポートがゴムおよび熱可塑性エラストマーを含むエラストマーからなることによって、振動がチェーンに伝達されても、熱可塑性エラストマーからなるサポートがこれを吸収し、電源ケーブルおよびクーラントホースが振動しない。
【０００８】
【発明の実施の形態】
本発明のケーブル類支持案内装置は、ある実施の形態にしたがうと、サポートがケーブル類を支持するケーブル類支持部とこのケーブル類支持部を保持しかつチェーンに固定するチェーン連結固定部とを有し、ケーブル類支持部が撓むことによって曲がるのに必要なケーブル類の長さを確保している。
これにおいて、ケーブル類の支持は、ケーブル類支持部が一端を交差させて配置された複数のスリットによって形成され貫通部を備え、ケーブル類が貫通部に挿入され、スリットの間の形成される舌部が変形することによってなされる。
【０００９】
以下に、添付図面を参照して、本発明のケーブル類支持案内装置の実施例を説明する。
【００１０】
図１〜図５は本発明によるケーブル類支持案内装置の一実施例を示している。
【００１１】
このケーブル類支持案内装置は、図１に示すように、チェーンＣＨおよびチェーンＣＨに支持されるケーブル類ＣＢとを備えている。
【００１２】
チェーンＣＨは多数のリンク体１０からなっている。各々のリンク体１０は、左右一対のリンクプレート１１，１２を備えている。
リンクプレート１１，１２は、下縁を下部連結杆１３によって、上縁を接続する上部連結杆１４によってそれぞれ接続形成されている。下部連結杆１３は、リンクプレート１１，１２と一体に形成されている。上部連結杆１４は、一端をリンクプレート１２にヒンジ機構１５によって連結され、他端をリンクプレート１２にあるストップ機構１６によって保持されている。
【００１３】
リンクプレート１１，１２の前端にはピン１７が一体に形成され、後端にはピン孔１８が設けられている。リンク体１０は、前端を前方にある隣接リンク体１０の後端に、後端を後方にある隣接リンク体１０の前端にかみ合わせて一列に配置すると共に、ピン１７をピン孔１８に嵌め込むことによって連結されている。連結されると、チェーンＣＨの内部にはチェーンＣＨの長手方向に延びる中空部１９が形成される。
【００１４】
ケーブル類ＣＢは、チェーンＣＨの中空部１９を貫通している。サポート２０が各々のリンクプレート１１，１２の間に組み込まれ、ケーブル類ＣＢを支持している。
【００１５】
図２および図３は、サポート２０の詳細を示している。サポート２０の各々は、熱可塑性エラストマーの射出成型物からなっている。サポート２０は、ケーブル類支持部２１とチェーン連結固定部２２と備えている。
【００１６】
チェーン連結固定部２２は、断面が矩形を有している。突出部２３が外側面に一体に形成されている。一方、図１に示すように、チェーンＣＨのリンク体１０を構成するリンクプレート１１，１２、下部連結杆１３および上部連結杆１４の内面には、突出部２３が嵌まる溝２４が設けられている。
【００１７】
ケーブル類支持部２１は、チェーン連結固定部２２よりも厚みの薄い平行平面板の形態をなすもので、ケーブル類ＣＢを貫通させかつこれを支持する貫通部２５を備えている。ケーブル類ＣＢは、たとえば四本あり、それぞれが直径の異なる円形断面のものからなっている。
貫通部２５の各々は、図２に鎖線で示されているように、ケーブル類ＣＢの直径にほぼ等しい仮想円からなっている。貫通部２５はこれらの仮想円の中心に関して放射状に配置されたスリット２６によって形成されている。これらのスリット２６は、一端が仮想円の中心で交差し、該中心に関して等角度間隔に配置されている。
【００１８】
チェーンＣＨに対するケーブル類ＣＢの組み込みは、図１および図４に示すように、ケーブル類ＣＢにサポート２０を嵌め、突出部２３をリンクプレート１１，１２および下部連結杆１３の内面にある溝２４に押し込んでサポート２０をチェーンＣＨに組み付け、上部連結杆１４を閉じ、上部連結杆１４にある溝２４を突出部２３に嵌めることによってなされる。
【００１９】
ケーブル類ＣＢが組み込まれると、ケーブル類ＣＢが各々のサポート２０の貫通部２５を形成するスリット２６の間にある舌部２７が、図４に示すように、根元が曲がってケーブル類ＣＢの表面に圧着され、ケーブル類ＣＢを固定支持する。
【００２０】
このケーブル類支持案内装置は、たとえば、横中ぐり盤と付属装置とを接続するケーブル類の支持案内装置として使用される。ケーブル類は、たとえば、主軸ヘッドにある電動機と電源装置とを接続する電源ケーブルおよび主軸ヘッド上のクーラントノズルとクーラントタンクとを接続するクーラントホースである。
【００２１】
このケーブル支持案内装置は、図５に示すように、チェーンＣＨの片端にあるリンク体１０には移動端金具２８を、反対端にあるリンク体１０に固定端金具２９をそれぞれピン連結されている。移動端金具２８は主軸ヘッドに、固定端金具２９はベッドあるいはコラムにそれぞれピン連結されている。
【００２２】
主軸ヘッドが移動すると、チェーンＣＨが図５に鎖線で示すように主軸ヘッドの移動に応じて伸縮し、電源ケーブルおよびクーラントホースを主軸ヘッドに追随させる。
【００２３】
このときに、直線区間では、舌部２７が電源ケーブルおよびクーラントホースに圧着しているため、電源ケーブルおよびクーラントホースがサポート２０に固定支持される。このため、ケーブル類ＣＢは、長手方向に摺動せず、表皮あるいは被覆を損傷しない。
曲線区間では、電源ケーブルおよびクーラントホースに力がかかると、サポート２０が撓んで、ケーブルおよびホースに余裕長さを付与する、つまり、曲線区間の頂点を境にして、片側にあるサポート２０の各々が引っ張られ、反対側にあるサポート２０が反対方向に引っ張られ、ケーブルおよびホースに余裕長さを付与する。このため、電源ケーブルおよびクーラントホースからなるケーブル類ＣＢに無理な力がかからず、ケーブル類ＣＢが損傷せず、断線しない。
【００２４】
さらに、ケーブル類ＣＢを構成する電源ケーブルおよびクーラントホースが各々独立した貫通部２５によって支持され、初期セット状態を維持している、つまり電源ケーブルおよびクーラントホースの配列間隔がつねに変らないため、ケーブル類ＣＢが長手方向に摺動しないことと相俟って、電源ケーブル同士およびクーラントホース同士がからまず、電源ケーブルとクーラントホースとがからまない。
【００２５】
さらに、振動がチェーンＣＨに伝達されても、熱可塑性エラストマーからなるサポート２０がこれを吸収し、電源ケーブルおよびクーラントホースが振動しない。
【００２６】
なお、以上説明した実施例において、チェーンＣＨは、リンクをピン連結した構造のもの、つまり各々のリンクのピンを前方にある隣接リンクのピン孔に、ピン孔を後方にある隣接リンクのピンに嵌めたものからなっているが、本発明は、このようなチェーンのみに限定されず、他の構成のチェーンを採用することができる。
たとえば、各々のリンクが隣接リンクとの継手をもつチェーン、すなわち、チェーンを形成するリンクが側板の一側縁に連結杆を、反対側縁に連結溝を備え、連結杆を前方にある隣接リンクの連結溝に、連結溝を後方にある隣接リンクの連結杆に嵌める構造のチェーンであってもよい。
さらに、各々のリンクをベルト材で連結したチェーン、すなわち、弾性材からなるベルト材が隣接配置されたリンクに結合されている構造のチェーンであってもよい。
【００２７】
また、サポート２０は、単カラーの熱可塑性エラストマー成型物からなっているが、支持部２１をチェーン連結固定部２２と異なるカラーに成形して、ケーブル類の装着を容易に行なえるようにするなどしてもよい。
【００２８】
さらに、サポート２０は、ゴムなどの他のエラストマーからなっていてもよい。
【００２９】
さらに、図１〜５に関連して説明した実施例において、サポート２０を構成しているケーブル類支持部２１およびチェーン連結固定部２２は、熱可塑性エラストマーの成型物からなっているが、ケーブル類支持部２１とチェーン連結固定部２２を別部材として構成し、これらをひとつのサポート２０に組み立てた構成としてもよい。
【００３０】
【発明の効果】
以上述べたように、本発明のケーブル類支持案内装置は、サポートがゴムおよび熱可塑性エラストマーを含むエラストマーからなるとともに、前記チェーンに固定するチェーン連結固定部と該チェーン連結固定部に保持されてケーブル類を支持するケーブル類支持部とを有し、前記ケーブル類支持部が放射状のスリットによって形成された複数の舌部分を前記ケーブル類の長手方向に変形自在に撓むように構成してなるケーブル類貫通孔を備えていることによって、曲線区間において、ケーブル類の長手方向に力がかかると、サポートが力の作用方向に撓み、曲がるのに必要なケーブル類の長さを確保し、ケーブル類に無理な力がかからないため、ケーブル類の損傷や断線事故がなく、しかもサポート間のケーブル長を厳密に設定しなくても、チェーンに対するケーブル類の組み付けも簡単にかつ迅速に行なうことができる。
さらに、振動がチェーンに伝達されても、熱可塑性エラストマーからなるサポートがこれを吸収し、電源ケーブルおよびクーラントホースが振動しない。
【図面の簡単な説明】
【図１】本発明のケーブル類支持案内装置の実施例を示す斜視図。
【図２】図１に示すケーブル類支持案内装置を構成するサポートの正面図。
【図３】図２に示すサポートの平面図。
【図４】図２に示すサポートに対するケーブル類の装着状態を示す断面図。
【図５】図１に示すケーブル類支持案内装置の使用状態を示す説明図。
【符号の説明】
ＣＨ  ・・・チェーン
ＣＢ  ・・・ケーブル類
１０  ・・・リンク体
１１、１２・・・リンクプレート
１３・・・下部連結杆
１４・・・上部連結杆
１５・・・ヒンジ機構
１６・・・ストップ機構
１７・・・ピン
１８・・・ピン孔
１９・・・中空部
２０・・・サポート
２１・・・ケーブル類支持部
２２・・・チェーン連結固定部
２３・・・突出部
２４・・・溝
２５・・・貫通部
２６・・・スリット
２７・・・舌部
【図１】
0003716985.tif 000002
【図２】
0003716985.tif 000003
【図３】
0003716985.tif 000004
【図４】
0003716985.tif 000005
【図５】
0003716985.tif 000006